(57)【特許請求の範囲】
【請求項１】
半永続スケジューリングをサポートする端末に適用するバッファ状態報告の送信方法であって、
端末が、バッファ状態報告をトリガリングする条件に満たすのを待つことと、
バッファ状態報告をトリガリングする条件が成立する場合、端末が、半永続スケジューリングが既にアクティブされた時、基地局に動的スケジューリング業務データのバッファ状態報告を送信し、半永続スケジューリングがアクティブされていない時、基地局に半永続スケジューリング業務データと動的スケジューリング業務データとを含むバッファ状態報告を送信し、前記端末の上りバッファにおけるデータ総量情報を報告することとを備えることを特徴とするバッファ状態報告の送信方法。
【請求項２】
請求項１に記載のバッファ状態報告の送信方法であって、前記端末が基地局に動的スケジューリング業務データのバッファ状態報告を送信する前に、前記方法は、
端末が動的スケジューリング業務データのバッファ状態報告のみを構造することをさらに備えることを特徴とするバッファ状態報告の送信方法。
【請求項３】
請求項１に記載のバッファ状態報告の送信方法であって、前記端末が基地局に半永続スケジューリング業務データと動的スケジューリング業務データとを含むバッファ状態報告を送信する前に、前記方法は、
端末が半永続スケジューリング業務データと動的スケジューリング業務データとを含むバッファ状態報告を構造することをさらに備えることを特徴とするバッファ状態報告の送信方法。
【請求項４】
請求項２又は３に記載のバッファ状態報告の送信方法であって、前記動的スケジューリング業務データのバッファ状態報告は、ショートバッファ状態報告、又はロングバッファ状態報告、又は遮断バッファ状態報告であり、
前記半永続スケジューリング業務データと動的スケジューリング業務データとを含むバッファ状態報告は、ロングバッファ状態報告、又はショートバッファ状態報告、又は遮断バッファ状態報告であることを特徴とするバッファ状態報告の送信方法。
【請求項５】
請求項１に記載のバッファ状態報告の送信方法であって、
前記半永続スケジューリング業務を同一の論理チャンネルグループに分け、或いは異なる論理チャンネルグループに分けることをさらに備えることを特徴とするバッファ状態報告の送信方法。
【請求項６】
半永続スケジューリングをサポートする端末の中に設けられるバッファ状態報告の送信システムであって、
端末がバッファ状態報告をトリガリングする条件に満たすかどうかを判断するための第１判断モジュールと、
端末がバッファ状態報告をトリガリングする条件に満たす場合、半永続スケジューリングがアクティブされるかどうかをさらに判断し、もし半永続スケジューリングが既にアクティブされると、第１トリガリング信号を発信し、もし半永続スケジューリングがアクティブされていないと、第２トリガリング信号を発信するための第２判断モジュールと、
前記第１トリガリング信号を受信し、前記第１トリガリング信号によって基地局に動的スケジューリング業務データのバッファ状態報告のみを送信するための第１送信モジュールと、
前記第２トリガリング信号を受信し、前記第２トリガリング信号によって基地局に半永続スケジューリング業務データと動的スケジューリング業務データとを含むバッファ状態報告を送信するための第２送信モジュールとを備えることを特徴とするバッファ状態報告の送信システム。
【請求項７】
請求項６に記載のバッファ状態報告の送信システムであって、
第１送信モジュールが基地局に動的スケジューリング業務データのバッファ状態報告を送信する前に、動的スケジューリング業務データのバッファ状態報告のみを構造するための第１構造モジュールをさらに備えることを特徴とするバッファ状態報告の送信システム。
【請求項８】
請求項６に記載のバッファ状態報告の送信システムであって、
第２送信モジュールが基地局に半永続スケジューリング業務データと動的スケジューリング業務データとを含むバッファ状態報告を送信する前に、半永続スケジューリング業務データと動的スケジューリング業務データとを含むバッファ状態報告を構造するための第２構造モジュールをさらに備えることを特徴とするバッファ状態報告の送信システム。
【請求項９】
請求項７に記載のバッファ状態報告の送信システムであって、前記第１構造モジュールによって構成されるバッファ状態報告は、ショートバッファ状態報告、又はロングバッファ状態報告、又は遮断バッファ状態報告であることを特徴とするバッファ状態報告の送信システム。
【請求項１０】
請求項８に記載のバッファ状態報告の送信システムであって、前記第２構造モジュールによって構成されるバッファ状態報告はロングバッファ状態報告、又はショートバッファ状態報告、又は遮断バッファ状態報告であることを特徴とするバッファ状態報告の送信システム。
【発明の詳細な説明】
【技術分野】
【０００１】
本発明はバッファ状態報告の送信方法及びシステムに関し、特に無線通信分野のロング・ターム・エボリューション（ＬＴＥ；long term evolution）システムにおけるバッファ状態報告の送信方法及びシステムに関する。
【背景技術】
【０００２】
ＬＴＥシステムは、図1の示すように、主に端末（ＵＥ；User Equipment）と、基地局（ｅＮＢ）と、コアネットワークとからなる。ｅＮＢはアクセス層の作業、例えば無線資源管理などを担当する。上り・下り無線資源は共有チャネルの方式でｅＮＢによってスケジューリングが担当される。コアネットワークは非アクセス層作業、例えば会計、位置管理などを担当する。各々のＵＥは上り方向において、一般的にネットワークにおける１つのｅＮＢのみに接続される。
【０００３】
従来のＬＴＥシステムにおいて、チャネルの利用率を向上させるように、上りと下り共有チャネルに対して、ｅＮＢスケジューリングの方式を採用して異なるＵＥの上りと下り伝送を制御する。ｅＮＢは半永続スケジューリング（ＳＰＳ；semi-persistent schedule）と、動的スケジューリングの２種のスケジューリング方式を有する。
【０００４】
半永続スケジューリングとは、特定業務のために設計され、資源をアクティブ／放出する必要があり、固定時刻には、予め割り当てられた資源を使用するが、他の時刻には、動的スケジューリング（再伝送）を行うスケジューリング方法を指す。
【０００５】
半永続スケジューリングの原理は図２の示す通りである。半永続スケジューリングはＳＰＳデータを採用してＳＰＳアクティブをトリガリングし、専用の物理下り制御チャネル（ＰＤＣＣＨ；physical downlink control channel）フォーマットでＵＥをアクティブする。上りＳＰＳと下りＳＰＳは独立にアクティブされる。半永続スケジューリング周期において、ＵＥは当該ｅＮＢによってそれに予め割り当てられた静的資源でデータを伝送し、他の並列業務がある場合、並列業務で同一伝送時間間隔（ＴＴＩ；transmission time interval）において伝送するのを禁止すべきである。半永続スケジューリング周期において、ＵＥはＰＤＣＣＨを監視する必要があり、当該ＵＥの制御情報を監視していないと、静的ＳＰＳパラメータを採用し、この時、当該ＵＥの制御チャネルは送信しなく、資源を節約し、当該ＵＥの動的資源割当を監視したと、制御情報を復調し、動的データをデコードする。
【０００６】
動的スケジューリングとは、ｅＮＢがＴＴＩ毎に、ＵＥに資源を動的に割り当て、且つＰＤＣＣＨによってＵＥに知らせ、ＵＥがいつでもＰＤＣＣＨを監視して可能な動的資源割当を発見することを指す。上り方向において、動的スケジューリングの原理は、図３の示すように、ＵＥがデータの送信端であり、スケジューラがｅＮＢにあり、
ステップ３０１：ＵＥはバッファ状態報告（ＢＳＲ；buffer status report）をトリガリングする条件に満たし、ｅＮＢにＢＳＲを送信し、前記ＢＳＲはＵＥがサービスｅＮＢにその上りバッファにおけるデータ総量を報告することに用いられるステップと、
ステップ３０２：ｅＮＢはＵＥのＢＳＲ、チャネル品質等の情報によってスケジューリングし、各々のＵＥに資源を割り当て、且つＰＤＣＣＨによってＵＥに知らせるステップと、
ステップ３０３：ＵＥは割り当てた資源において上りデータを送信するステップとを備える。
【０００７】
ステップ３０１において、ＢＳＲをトリガリングする条件は、
（１）ＵＥには送信する必要のある上りデータがあり、且つ当該データの論理チャンネルの優先順位がＵＥ送信バッファにおけるデータの優先順位より高く、このようなＢＳＲはレギュラーＢＳＲ（ｒｅｇｕｌａｒ  ＢＳＲ）と称されることと、
（２）ＵＥは既に上り資源を割り当て、且つパディング（ｐａｄｄｉｎｇ）の数がＢＳＲ制御要素とそのサブヘッドの長さの和の以上で、このようなＢＳＲはＰａｄｄｉｎｇ  ＢＳＲと称されることと、
（３）周期的ＢＳＲタイマーがオーバータイムし、このようなＢＳＲは周期的ＢＳＲ（ｐｅｒｉｏｄｉｃ  ＢＳＲ）と称されることと、
（４）ＢＳＲ再伝送タイマーがオーバータイムし、且つバッファには送信する必要のあるデータがあり、このようなＢＳＲはレギュラーＢＳＲ（ｒｅｇｕｌａｒ  ＢＳＲ）と称されることとを備える。
【０００８】
ｐａｄｄｉｎｇ  ＢＳＲに対して、ｐａｄｄｉｎｇの数がショートバッファ状態報告（ｓｈｏｒｔ  ＢＳＲ）とそのサブヘッドとの長さの和の以上であるが、ロングバッファ状態報告（ｌｏｎｇ  ＢＳＲ）とそのサブヘッドの長さの和より小さく、且つ複数の論理チャンネルグループ（ＬＣＧ；logical channel group）には送信する必要のあるデータがあると、この時、優先順位の一番高い論理チャンネルが所在するＬＣＧにおけるデータ量、即ち、遮断ＢＳＲ（ｔｒｕｎｃａｔｅｄ  ＢＳＲ）しか送信できない。ｒｅｇｕｌａｒ  ＢＳＲとｐｅｒｉｏｄｉｃ  ＢＳＲに対して、１つのＬＣＧのみには送信する必要のあるデータがあると、ｓｈｏｒｔ  ＢＳＲを送信し、１つ以上のＬＣＧには送信する必要のあるデータがあると、ｌｏｎｇ  ＢＳＲを送信する。Ｓｈｏｒｔ  ＢＳＲ／ｔｒｕｎｃａｔｅｄ  ＢＳＲのフォーマットは図４の示す通りで、ｌｏｎｇ  ＢＳＲのフォーマットは図５の示す通りである。
【０００９】
ＬＴＥにおいて４つのＬＣＧがある。ＳＰＳ業務は、専門に同一ＬＣＧに分けられてもよく、異なるＬＣＧに分けられてもよく、即ち、ＳＰＳ業務と動的業務は同一ＬＣＧに両立可能である。ＳＰＳ業務と動的スケジューリング業務の両立するＵＥに対して、従来技術によってＢＳＲを報告することには、下記の２つの問題が存在する。
【００１０】
問題１：ＳＰＳ業務の優先順位が動的スケジューリング業務より高い。ＳＰＳ業務が同一ＬＣＧに分けられると、ＳＰＳ業務と動的スケジューリング業務の両立するＵＥに対して、ｔｒｕｎｃａｔｅｄ  ＢＳＲを報告する場合、ＳＰＳ業務の所在するＬＣＧのＢＳＲのみを報告する。半永続スケジューリングに対して、一旦アクティブされてから、ｅＮＢは当該ＵＥに割り当てられた静的資源でＳＰＳデータを伝送し、当該ＵＥを再びスケジューリングしない。それによって、動的スケジューリング業務には送信する必要のあるデータがあるが、当該ＵＥをスケジューリングできない問題を引き起こす。
【００１１】
問題２：ＳＰＳ業務が異なるＬＣＧに分けられると、ＳＰＳ業務と動的スケジューリング業務の両立するＵＥに対して、ＳＰＳ業務と動的スケジューリング業務のＢＳＲを同時に報告する。ｅＮＢは受信したＢＳＲによって動的スケジューリングを行い、ＵＥに資源を割り当てる。実際に、ｅＮＢはＳＰＳ業務に資源を割り当てる必要がなく、それによって、エアーインターフェースリソースの浪費を引き起こす。
【発明の概要】
【発明が解決しようとする課題】
【００１２】
本発明が解決しようとする技術問題は、バッファ状態報告の送信方法及びシステムを提供し、ＳＰＳ業務と動的スケジューリング業務の両立するＵＥが、動的スケジューリング業務には送信する必要のあるデータがあるが、当該ＵＥをスケジューリングできない、及びｅＮＢがＳＰＳ業務への動的資源割当を繰り返して、エアーインターフェースリソースの浪費を引き起こす問題を解決することにある。
【課題を解決するための手段】
【００１３】
上記技術問題を解決するために、本発明の実施例に提供される技術案は下記通りである。
【００１４】
バッファ状態報告の送信方法であって、半永続スケジューリングをサポートする端末に適用し、前記方法は、
端末が、バッファ状態報告をトリガリングする条件に満たすのを待つことと、
バッファ状態報告をトリガリングする条件が成立する場合、端末が、半永続スケジューリングが既にアクティブされた時、基地局に動的スケジューリング業務データのバッファ状態報告を送信し、半永続スケジューリングがアクティブされていない時、基地局に半永続スケジューリング業務データと動的スケジューリング業務データを含むバッファ状態報告を送信し、前記端末の上りバッファにおけるデータ総量情報を報告することとを備える。
【００１５】
前記端末が基地局に動的スケジューリング業務データのバッファ状態報告を送信する前に、前記方法は、
端末が動的スケジューリング業務データのバッファ状態報告のみを構造することをさらに備える。
【００１６】
前記端末が基地局に半永続スケジューリング業務データと動的スケジューリング業務データを含むバッファ状態報告を送信する前に、前記方法は、
端末が半永続スケジューリング業務データと動的スケジューリング業務データを含むバッファ状態報告を構造することをさらに備える。
【００１７】
前記動的スケジューリング業務データのバッファ状態報告は、ショートバッファ状態報告、又はロングバッファ状態報告、又は遮断バッファ状態報告であり、
前記半永続スケジューリング業務データと動的スケジューリング業務データとを含むバッファ状態報告は、ロングバッファ状態報告、又はショートバッファ状態報告、又は遮断バッファ状態報告である。
【００１８】
前記方法は、前記半永続スケジューリング業務を同一論理チャンネルグループに分け、或いは異なる論理チャンネルグループに分けることをさらに備える。
【００１９】
バッファ状態報告の送信システムであって、半永続スケジューリングをサポートする端末の中に設けられ、
端末がバッファ状態報告をトリガリングする条件に満たすかどうかを判断するための第１判断モジュールと、
端末がバッファ状態報告をトリガリングする条件に満たす場合、半永続スケジューリングがアクティブされるかどうかをさらに判断し、半永続スケジューリングが既にアクティブされたと、第１トリガリング信号を出し、半永続スケジューリングがアクティブされていないと、第２トリガリング信号を出すための第２判断モジュールと、
前記第１トリガリング信号を受信し、前記第１トリガリング信号によって基地局に動的スケジューリング業務データのバッファ状態報告のみを送信するための第１送信モジュールと、
前記第２トリガリング信号を受信し、前記第２トリガリング信号によって基地局に半永続スケジューリング業務データと動的スケジューリング業務データとを含むバッファ状態報告を送信するための第２送信モジュールとを備える。
【００２０】
前記システムは、
第１送信モジュールが基地局に動的スケジューリング業務データのバッファ状態報告を送信する前に、動的スケジューリング業務データのバッファ状態報告のみを構造するための第１構造モジュールをさらに備える。
【００２１】
前記システムは、
第２送信モジュールが基地局に半永続スケジューリング業務データと動的スケジューリング業務データを含むバッファ状態報告を送信する前に、半永続スケジューリング業務データと動的スケジューリング業務データを含むバッファ状態報告を構造するための第２構造モジュールをさらに備える。
【００２２】
前記第１構造モジュールによって構成されるバッファ状態報告は、ショートバッファ状態報告、又はロングバッファ状態報告、又は遮断バッファ状態報告である。
【００２３】
前記第２構造モジュールによって構成されるバッファ状態報告はロングバッファ状態報告、又はショートバッファ状態報告、又は遮断バッファ状態報告である。
【発明の効果】
【００２４】
本発明に記載の方法及びシステムを採用し、従来技術に比べて、ＳＰＳ業務と動的スケジューリング業務の両立するＵＥは、動的スケジューリング業務には送信する必要のあるデータがあるが、当該ＵＥをスケジューリングできない、及びｅＮＢがＳＰＳ業務への動的資源割当を繰り返して、エアーインターフェースリソースの浪費を引き起こす２つの問題を解決する。ｅＮＢはもうＳＰＳ業務への動的資源割当を繰り返さなく、エアーインターフェースリソースを節約する。
【図面の簡単な説明】
【００２５】
【図１】ＬＴＥシステムの模式図である。
【図２】半永続スケジューリング原理の模式図である。
【図３】上り動的スケジューリング原理の模式図である。
【図４】ショートＢＳＲと遮断ＢＳＲとのフォーマット模式図である。
【図５】ロングＢＳＲのフォーマット模式図である。
【図６】本発明の端末がバッファ状態報告を送信する方法のフローチャート図である。
【図７Ａ】本発明の第１応用実例において、ＳＰＳ業務を同一ＬＣＧに分け、且つＳＰＳが既にアクティブされた場合、ＢＳＲの送信模式図である。
【図７Ｂ】本発明の第１応用実例において、ＳＰＳ業務を同一ＬＣＧに分け、且つＳＰＳが既にアクティブされた場合、ＢＳＲの送信模式図である。
【図８Ａ】本発明の第２応用実例において、ＳＰＳ業務を同一ＬＣＧに分け、且つＳＰＳがアクティブされていない場合、ＢＳＲの送信模式図である。
【図８Ｂ】本発明の第２応用実例において、ＳＰＳ業務を同一ＬＣＧに分け、且つＳＰＳがアクティブされていない場合、ＢＳＲの送信模式図である。
【図９Ａ】本発明の第３応用実例において、ＳＰＳ業務を異なるＬＣＧに分け、且つＳＰＳが既にアクティブされた場合、ＢＳＲの送信模式図である。
【図９Ｂ】本発明の第３応用実例において、ＳＰＳ業務を異なるＬＣＧに分け、且つＳＰＳが既にアクティブされた場合、ＢＳＲの送信模式図である。
【図１０Ａ】本発明の第４応用実例において、ＳＰＳ業務を異なるＬＣＧに分け、且つＳＰＳがアクティブされていない場合、ＢＳＲの送信模式図である。
【図１０Ｂ】本発明の第４応用実例において、ＳＰＳ業務を異なるＬＣＧに分け、且つＳＰＳがアクティブされていない場合、ＢＳＲの送信模式図である。
【図１１】本発明の端末がバッファ状態報告を送信するシステム構成図である。
【発明を実施するための形態】
【００２６】
本発明の主旨は、ＵＥがＳＰＳのアクティブされるかどうかによってＢＳＲを構造することによって、従来技術において、ＳＰＳがアクティブされるかどうかを区分しないことによって、ＳＰＳ業務と動的スケジューリング業務の両立するＵＥは、動的スケジューリング業務には送信する必要のあるデータがあるが、当該ＵＥをスケジューリングできない、及びｅＮＢがＳＰＳ業務への動的資源割当を繰り返して、エアーインターフェースリソースの浪費を引き起こす問題を避けることである。
【００２７】
本発明のバッファ状態報告の送信方法は、ＵＥがＢＳＲをトリガリングするかどうかを判断することを報告するステップと、ＵＥがＳＰＳのアクティブされるかどうかによってＢＳＲを構造するステップと、ＵＥがｅＮＢにＢＳＲを送信するステップとの三つのステップを主に備える。
【００２８】
以下、図面と好ましい実施形態を参照しながら、本発明の技術案を詳しく説明する。
【００２９】
図６が示すように、本発明の端末がバッファ状態報告を送信する方法フローチャート図を参照する。ＵＥがＢＳＲを送信する手順は、
ステップ６０１：ＵＥがＢＳＲをトリガリングする条件に満たすかどうかを判断し、前記ＢＳＲをトリガリングする条件に満たすと、ステップ６０２を実行するステップと、
ステップ６０２：ＵＥがＳＰＳのアクティブされるかどうかを判断し、既にアクティブされたと、ステップ６０３を実行し、アクティブされていないと、ステップ６０４を実行するステップと、
ステップ６０３：ＵＥが動的スケジューリング業務のＢＳＲのみを構造し、ステップ６０５を実行するステップと、
ステップ６０４：ＵＥがＳＰＳ業務と動的スケジューリング業務とを含むＢＳＲを構造し、ステップ６０５を実行するステップと、
ステップ６０５：ＵＥがｅＮＢにＢＳＲを送信するステップとを備える。
【００３０】
ＬＣＧは、ＳＰＳ業務を専門に同一ＬＣＧに分けることと、ＳＰＳ業務を異なるＬＣＧに分けることの２種の区分方式を有する。ＬＣＧグループの区分方式とＳＰＳがアクティブされるかどうかによって、異なる応用実例は存在する。
【００３１】
以下、具体的応用における実例によって、本発明の技術案を例示し説明する。
【００３２】
応用実例１：ＳＰＳ業務を同一ＬＣＧに分け、且つＳＰＳが既にアクティブされた場合、ＢＳＲの送信。
【００３３】
ＳＰＳ業務を同一ＬＣＧに分け、且つＳＰＳが既にアクティブされた場合、ＢＳＲの送信は図７Ａおよび図７Ｂが示す通りである。端末は論理チャンネル１と、論理チャンネル２と、論理チャンネル３を合計３つの論理チャンネルを有する。そのうち、論理チャンネル１と論理チャンネル２はＳＰＳ業務を担当し、いずれも同一論理チャンネルグループに分けられ、論理チャンネル３は動的スケジューリング業務を担当し、論理チャンネルグループ３に分けられる。ＳＰＳが既にアクティブされ、論理チャンネル毎には送信する必要のあるデータがある。論理チャンネル１のバッファ容量が１００バイトで、論理チャンネル２のバッファ容量が１００バイトで、論理チャンネル３のバッファ容量が１５０バイトである。ＵＥがＢＳＲを送信する手順は、
ステップ７０１：ＵＥがＢＳＲをトリガリングする条件に満たすステップと、
ステップ７０２：ＵＥがＳＰＳの既にアクティブされたことを判断するステップと、
ステップ７０３：ＵＥが動的スケジューリング業務のＢＳＲのみ、即ち論理チャンネル３のＢＳＲを構造する（ＵＥが１つのｓｈｏｒｔ  ＢＳＲを構成し、論理チャンネルグループ標識＝３、バッファ容量が１５０バイトである）ステップと、
ステップ７０４：ＵＥがｅＮＢにＢＳＲを送信するステップとを備える。
【００３４】
応用実例２：ＳＰＳ業務を同一ＬＣＧに分け、且つＳＰＳがアクティブされていない場合、ＢＳＲの送信。
【００３５】
ＳＰＳ業務を同一ＬＣＧに分け、且つＳＰＳがアクティブされていない場合、ＢＳＲの送信は図８Ａおよび図８Ｂが示す通りである。端末論理チャンネル番号、各論理チャンネルのバッファ状態及び論理チャンネルグループの区分は応用実例１と同様で、相違点はＳＰＳがアクティブされていないことにある。ＵＥがＢＳＲを送信する手順は、
ステップ８０１：ＵＥがＢＳＲをトリガリングする条件に満たすステップと、
ステップ８０２：ＵＥがＳＰＳのアクティブされていないことを判断するステップと、
ステップ８０３、ＵＥはＳＰＳ業務と動的スケジューリング業務を含むＢＳＲ、即ち論理チャンネル１、論理チャンネル２、論理チャンネル３のＢＳＲを構造する（ＵＥが１つｌｏｎｇ  ＢＳＲを構成し、バッファ容量＃０が２００バイトで、バッファ容量＃３が１５０バイトである）ステップと、
ステップ８０４：ＵＥがｅＮＢにＢＳＲを送信するステップとを備える。
【００３６】
応用実例３：ＳＰＳ業務を異なるＬＣＧに分け、且つＳＰＳが既にアクティブされた場合、ＢＳＲの送信。
【００３７】
ＳＰＳ業務を異なるＬＣＧに分け、且つＳＰＳが既にアクティブされた場合、ＢＳＲの送信は図９Ａおよび図９Ｂが示す通りである。端末は論理チャンネル１と、論理チャンネル２と、論理チャンネル３を合計３つの論理チャンネルを有する。そのうち、論理チャンネル１はＳＰＳ業務を担当し、論理チャンネルグループ０に分けられ、論理チャンネル２はＳＰＳ業務を担当し、論理チャンネルグループ３に分けられ、論理チャンネル３は動的スケジューリング業務を担当し、論理チャンネルグループ３に分けられる。ＳＰＳが既にアクティブされ、論理チャンネル毎には送信する必要のあるデータがある。論理チャンネル１のバッファ容量が１００バイトで、論理チャンネル２のバッファ容量が１００バイトで、論理チャンネル３のバッファ容量が１５０バイトである。ＵＥがＢＳＲを送信する手順は、
ステップ９０１：ＵＥがＢＳＲをトリガリングする条件に満たすステップと、
ステップ９０２：ＵＥがＳＰＳの既にアクティブされたことを判断するステップと、
ステップ９０３：ＵＥが動的スケジューリング業務のＢＳＲのみ、即ち論理チャンネル３のＢＳＲを構造する（ＵＥが１つのｓｈｏｒｔ  ＢＳＲを構成し、論理チャンネルグループ標識＝３、バッファ容量が１５０バイトである）ステップと、
ステップ９０４：ＵＥがｅＮＢにＢＳＲを送信するステップとを備える。
【００３８】
応用実例４：ＳＰＳ業務を異なるＬＣＧに分け、且つＳＰＳがアクティブされていない場合、ＢＳＲの送信。
【００３９】
ＳＰＳ業務を異なるＬＣＧに分け、且つＳＰＳがアクティブされた場合、ＢＳＲの送信は図１０Ａおよび図１０Ｂが示す通りである。端末論理チャンネル番号、各論理チャンネルのバッファ状態及び論理チャンネルグループの区分は応用実例３と同様で、相違点はＳＰＳがアクティブされていないことにある。ＵＥがＢＳＲを送信する手順は、
ステップ１００１：ＵＥがＢＳＲをトリガリングする条件に満たすステップと、
ステップ１００２：ＵＥがＳＰＳのアクティブされていないことを判断するステップと、
ステップ１００３：ＵＥがＳＰＳ業務と動的スケジューリング業務を含むＢＳＲ、即ち論理チャンネル１、論理チャンネル２、論理チャンネル３のＢＳＲを構造する（ＵＥが１つのｌｏｎｇ  ＢＳＲを構成し、バッファ容量＃０が１００バイトで、バッファ容量＃３が２５０バイトである）ステップと、
ステップ１００４：ＵＥがｅＮＢにＢＳＲを送信するステップとを備える。
【００４０】
ただし、各応用実例において、ＵＥが構成するのはロングＢＳＲである可能性があるし、ショートＢＳＲである可能性もある。ロング又はショートＢＳＲはＳＰＳ業務を送信するかどうかのＢＳＲに関係なく、報告したデータを有するＬＣＧが幾つあることに決められ、報告したデータを有するＬＣＧが１つ以上あると、ＵＥがロングＢＳＲを構成し、そうでないと、ＵＥがショートＢＳＲを構成する。
【００４１】
図１１が示すように、本発明の端末がバッファ状態報告を送信するシステム構成図を参照する。前記システムは、
端末がバッファ状態報告をトリガリングする条件に満たすかどうかを判断するための第１判断モジュール１１０１と、
端末がバッファ状態報告をトリガリングする条件に満たす場合、半永続スケジューリングがアクティブされるかどうかをさらに判断し、半永続スケジューリングが既にアクティブされたと、第１トリガリング信号を出し、半永続スケジューリングがアクティブされていないと、第２トリガリング信号を出すための第２判断モジュール１１０２と、
前記第１トリガリング信号を受信し、基地局に動的スケジューリング業務データのバッファ状態報告のみを送信するための第１送信モジュール１１０５と、
前記第２トリガリング信号を受信し、基地局に半永続スケジューリング業務データと動的スケジューリング業務データを含むバッファ状態報告を送信するための第２送信モジュール１１０６とを備える。
【００４２】
本発明の好ましい実施例として、前記システムは、
第２判断モジュール１１０２と第１送信モジュール１１０５との間に設けられ、第１送信モジュールが基地局に動的スケジューリング業務データのバッファ状態報告を送信する前に、動的スケジューリング業務データのバッファ状態報告のみを構造するための第１構造モジュール１１０３と、
第２判断モジュール１１０２と第２送信モジュール１１０６との間に設けられ、第２送信モジュールが基地局に半永続スケジューリング業務データと動的スケジューリング業務データを含むバッファ状態報告を送信する前に、半永続スケジューリング業務データと動的スケジューリング業務データを含むバッファ状態報告を構造するための第２構造モジュール１１０４とをさらに備える。
【００４３】
前記第１構造モジュール１１０３は１つのショートバッファ状態報告又はロングバッファ状態報告を構成する。
【００４４】
前記第２構造モジュール１１０４は１つのロングバッファ状態報告又はショートバッファ状態報告を構成する。
【００４５】
本発明の技術特徴は、主に、
（１）ＵＥがＢＳＲを構造する粒度は業務に精確することができ、特にＳＰＳ業務に適用し、あるＬＣＧグループにおいて、ＳＰＳ業務と動的スケジューリング業務が共にあり、且つＳＰＳ業務が既にアクティブされたと、ＵＥが動的スケジューリング業務のデータ量情報のみを報告し、ＳＰＳ業務のデータ量情報を報告しないことと、
（２）従来技術に比べて、ＢＳＲのフォーマットにいずれかの修正を入れる必要がなく、エキストラ指示情報を添加する必要もないこととを備えることである。
【００４６】
勿論、本発明は他の種々の実施例をさらに有することができ、本発明の主旨及びその実質を逸脱しない場合で、本分野の従業員は本発明によって種々の相応的な変更と変形をすることができるが、これらの相応的な変更と変形はいずれも本発明の付する請求項の保護範囲に属すべきである。
【図１】
0005367167.tif 000002
【図２】
0005367167.tif 000003
【図３】
0005367167.tif 000004
【図４】
0005367167.tif 000005
【図５】
0005367167.tif 000006
【図６】
0005367167.tif 000007
【図７Ａ】
0005367167.tif 000008
【図７Ｂ】
0005367167.tif 000009
【図８Ａ】
0005367167.tif 000010
【図８Ｂ】
0005367167.tif 000011
【図９Ａ】
0005367167.tif 000012
【図９Ｂ】
0005367167.tif 000013
【図１０Ａ】
0005367167.tif 000014
【図１０Ｂ】
0005367167.tif 000015
【図１１】
0005367167.tif 000016